(57)【要約】【課題】多数の試験用設備を用いずに、簡素な構成で、ＩＥＥＥ８０２．３ａｈ規格に準拠したＧｂＥ光アクセス・ネットワークの試験を行うこと。【解決手段】光アクセス・ネットワーク試験装置１００は、ＧｂＥ光アクセス・ネットワークを介してＯＬＴに接続される。ＯＥ／ＥＯ部１１１は、ＧｂＥ光アクセス・ネットワーク５から受信した光信号を電気信号に変換して１０ｂコードのデータを出力する。ＩＥＥＥ８０２．３ａｈプロトコル処理部１１２は、ＯＥ／ＥＯ部１１１から出力されたデータを１０ｂコードのまま用いてＧｂＥ光アクセス・ネットワーク５のプロトコルを処理し、複数台のＯＮＵに固定的に割付けられるプロトコル情報に相当する複数のプロトコル処理データを保持する。メモリ部１２１は、ＯＥ／ＥＯ部１１１から出力されたデータを１０ｂコードのまま記憶する。ＣＰＵ部１１６は、メモリ部１２１に記憶されたデータの解析を行う。【選択図】図１
2007096847.tif 000002
【特許請求の範囲】
【請求項１】
光アクセス・ネットワークを介して試験対象装置に接続される光アクセス・ネットワーク試験装置であって、
光アクセス・ネットワークから受信した光信号を電気信号に変換して１０ｂコードのデータを出力するＯＥ／ＥＯ部と、
前記ＯＥ／ＥＯ部から出力されたデータを１０ｂコードのまま用いて光アクセス・ネットワークのプロトコルを処理するプロトコル処理部と、
前記プロトコル処理部を通過した１０ｂコードのデータを８ｂコードのデータに符号化する符号化処理部と、
を備えることを特徴とする光アクセス・ネットワーク試験装置。
【請求項２】
前記ＯＥ／ＥＯ部から出力されたデータを１０ｂコードのまま記憶するメモリ部と、
前記メモリ部に記憶されたデータを読み出して解析する演算処理部と、
をさらに備えることを特徴とする請求項１に記載の光アクセス・ネットワーク試験装置。
【請求項３】
前記プロトコル処理部は、
複数のプロトコル処理データを保持するプロトコル処理テーブル部と、
前記ＯＥ／ＥＯ部から出力されたデータを用いて光アクセス・ネットワークのプロトコルを処理するためのプロトコルを識別し、前記プロトコル処理テーブル部を検索してプロトコル処理データを導き出すための検索キーを生成するプロトコル識別部と、
を有することを特徴とする請求項１または２に記載の光アクセス・ネットワーク試験装置。
【請求項４】
前記プロトコル処理テーブル部は、保持する複数のプロトコル処理データの中から、前記プロトコル識別部により生成された検索キーに対応するプロトコル処理データを導き出すとともに、プロトコル応答タイミング情報を導き出すことを特徴とする請求項３に記載の光アクセス・ネットワーク試験装置。
【請求項５】
前記プロトコル処理部は、
前記プロトコル処理テーブル部により導き出されたプロトコル処理データおよびプロトコル応答タイミング情報に基づいて、プリアンブル、ＭＡＣヘッダおよび応答データを含む応答フレームデータを生成し、該応答フレームデータを前記ＯＥ／ＥＯ部を介して光アクセス・ネットワークへ出力するフレーム生成・送信部をさらに備えることを特徴とする請求項４に記載の光アクセス・ネットワーク試験装置。
【発明の詳細な説明】
【技術分野】
【０００１】
この発明は、光アクセス・ネットワーク試験装置に関し、特にＩＥＥＥ８０２．３ａｈ規格に準拠した中継装置を試験対象とするＧｂＥ（Ｇｉｇａｂｉｔ  Ｅｔｈｅｒｎｅｔ：ギガビットイーサネット）光アクセス・ネットワーク試験装置に関する。
【背景技術】
【０００２】
光アクセス・ネットワークの規格の一つにＩＥＥＥ８０２．３ａｈ規格がある。従来、市場には、この規格に準拠した中継装置を試験するための試験装置は提供されていない。そのため、従来は、この規格に準拠した中継装置の試験を行うにあたっては、次のような試験システムが用いられている。
【０００３】
図７は、従来の試験システムの構成を示すブロック図である。図７において、１は、試験対象装置である中継装置であり、局舎側ＧＥ−ＰＯＮ（Ｇｉｇａｂｉｔ  Ｅｔｈｅｒｎｅｔ−Ｐａｓｓｉｖｅ  Ｏｐｔｉｃａｌ  Ｎｅｔｗｏｒｋ）装置（以下、ＯＬＴとする。ＯＬＴ：Ｏｐｔｉｃａｌ  Ｌｉｎｅ  Ｔｅｒｍｉｎａｌ）である。２は、ＯＬＴ１にイーサネットワーク３を介して接続されるイーサネットテスタ（またはサーバ）である（例えば、下記特許文献１参照。）。
【０００４】
４は、ＧｂＥ光アクセス・ネットワーク５を介してＯＬＴ１に接続される加入者側ＧＥ−ＰＯＮ装置（以下、ＯＮＵとする。ＯＮＵ：Ｏｐｔｉｃａｌ  Ｎｅｔｗｏｒｋ  Ｕｎｉｔ）である。６は、ＯＮＵ４にイーサネットワーク７を介して接続されるイーサネットテスタ（またはパーソナルコンピュータ）である。イーサネットテスタは、イーサネットを試験するためのテスタである。
【０００５】
図７に示すように、１台のＯＬＴ１を試験するために、市場における通常の運用状態と同様に、ＧｂＥ光アクセス・ネットワーク５を介してＯＬＴ１に複数台のＯＮＵ４が接続される。また、バックボーン・ネットワークと加入者間のデータ疎通を確認するためには、各ＯＮＵ４にイーサネットテスタ、パーソナルコンピュータ（ＰＣ）またはワークステーション（ＷＳ）が接続される。
【０００６】
図８は、ＯＮＵの機能的な構成を示すブロック図である。図８に示すように、ＯＮＵ４は、ＯＥ／ＥＯ部１１、符号化処理部１２、ＩＥＥＥ８０２．３ａｈプロトコル処理部１３およびイーサネットＩＮＦ部１４から構成される。
【０００７】
ＯＥ／ＥＯ部１１は、双方向の光ファイバーケーブル８を介して光アクセス・ネットワーク５に接続されている。ＯＥ／ＥＯ部１１は、光アクセス・ネットワーク５および光ファイバーケーブル８を介してＯＬＴ１から送られてきた光信号を受信して電気信号に変換し、また電気信号を、光アクセス・ネットワーク５を介してＯＬＴ１へ送信する光信号に変換する。符号化処理部１２は、ＯＥ／ＥＯ部１１から出力された１０ｂコードのシリアルデータを８ｂコードのパラレルデータに符号化し、またＩＥＥＥ８０２．３ａｈプロトコル処理部１３から出力された８ｂコードのパラレルデータを１０ｂコードのシリアルデータに復号化する。
【０００８】
ＩＥＥＥ８０２．３ａｈプロトコル処理部１３は、符号化処理部１２から出力された８ｂコードのデータに対して、ＩＥＥＥ８０２．３ａｈプロトコルの処理を行う。イーサネットＩＮＦ部１４は、ＯＮＵ４の配下に存在するイーサネットテスタ（またはパーソナルコンピュータ）６と接続するインタフェースである。
【０００９】
さらに、ＩＥＥＥ８０２．３ａｈプロトコル処理部１３は、プリアンブル識別部１５、ＭＡＣレイヤ識別部１６、固定プリアンブル生成部１７、固定ＭＡＣ生成部１８、固定データ生成部１９、データ挿入部２０、ＭＡＣ挿入部２１およびプリアンブル挿入部２２から構成されている。プリアンブル識別部１５は、符号化処理部１２から送られてきた８ｂコードのＩＥＥＥ８０２．３ａｈフレームのプリアンブル領域を識別する。
【００１０】
ＭＡＣレイヤ識別部１６は、プリアンブル識別部１５から送られてきたＩＥＥＥ８０２．３ａｈフレームのＭＡＣレイヤを識別する。固定プリアンブル生成部１７は、ＩＥＥＥ８０２．３ａｈプロトコルを処理するにあたり、１台のＯＮＵ４に固定的に割り振られる８ｂコードのプリアンブルデータを生成する。固定ＭＡＣ生成部１８は、ＩＥＥＥ８０２．３ａｈプロトコルを処理するにあたり、固定的に決定付けられる８ｂコードのＭＡＣヘッダを生成する。
【００１１】
固定データ生成部１９は、ＩＥＥＥ８０２．３ａｈプロトコルを処理するにあたり、固定的に決定付けられる８ｂコードのフレームデータを生成する。データ挿入部２０は、固定データ生成部１９により生成されたフレームデータを送信フレームとして挿入して組み立てる。ＭＡＣ挿入部２１は、固定ＭＡＣ生成部１８により生成されたＭＡＣヘッダを送信フレームとして挿入して組み立てる。プリアンブル挿入部２２は、固定プリアンブル生成部１７により生成されたプリアンブルデータを送信フレームとして挿入して組み立てる。
【００１２】
このように、ＯＮＵ４では、光アクセス・ネットワーク５から入力した光信号は、ＯＥ／ＥＯ部１１により受信後直ちに１０ｂコードの電気信号に変換される。その１０ｂコードの受信フレームデータは、符号化処理部１２により８ｂコードのデータに変換される。そして、ＩＥＥＥ８０２．３ａｈプロトコル処理部１３の内部では、８ｂコードのデータのまま処理される。送信時には、ＩＥＥＥ８０２．３ａｈプロトコル処理部１３の内部で処理された８ｂコードのデータは、符号化処理部１２により１０ｂコードの送信フレームデータに変換され、ＯＥ／ＥＯ部１１により光信号に変換されて光アクセス・ネットワーク５に出力される。
【００１３】
【特許文献１】特開２００５−２０４２０号公報
【発明の開示】
【発明が解決しようとする課題】
【００１４】
しかしながら、上述した従来の試験システムでは、各ＯＮＵ４および各イーサネットテスタ（またはパーソナルコンピュータ）６により同時に試験を行う場合、１台のＯＬＴ１に対して複数台のＯＮＵ４と複数台のイーサネットテスタ（またはパーソナルコンピュータ）６を有する試験用設備が必要となる。そのため、試験用設備のコストの増大を招くという問題点がある。
【００１５】
また、工場等で出荷前の試験を行う場合、ＯＮＵ４とイーサネットテスタ（またはパーソナルコンピュータ）６の数が増えて試験用設備の規模が大きくなると、試験用設備を配置するための広いスペースが必要となるという問題点がある。特に、複数台のＯＬＴ１を試験対象とする場合には、ＯＮＵ４とイーサネットテスタ（またはパーソナルコンピュータ）６の数が著しく多くなるため、これらの問題が顕著となる。
【００１６】
この発明は、上述した従来技術による問題点を解消するため、多数の試験用設備を用いずに光アクセス・ネットワークの試験を行うことができる光アクセス・ネットワーク試験装置を提供することを目的とする。また、この発明は、ＩＥＥＥ８０２．３ａｈ規格に準拠したＧｂＥ光アクセス・ネットワークに対して、正常または異常の評価を行うことができる光アクセス・ネットワーク試験装置を提供することを目的とする。さらに、この発明は、イーサネット・インタフェース規格に準拠したＧｂＥ光アクセス・ネットワークに対して、正常または異常の評価を行うことができる光アクセス・ネットワーク試験装置を提供することを目的とする。
【課題を解決するための手段】
【００１７】
上述した課題を解決し、目的を達成するため、本発明にかかる光アクセス・ネットワーク試験装置は、ＯＥ／ＥＯ部、プロトコル処理部、メモリ部および演算処理部を有する。ＯＥ／ＥＯ部は、光アクセス・ネットワークから受信した光信号を電気信号に変換して１０ｂコードのデータを出力する。プロトコル処理部は、ＯＥ／ＥＯ部から出力されたデータを用いて光アクセス・ネットワークのプロトコルを処理するためのプロトコルを識別し、ＯＥ／ＥＯ部から出力されたデータを１０ｂコードのまま用いて光アクセス・ネットワークのプロトコルを処理する。
【００１８】
プロトコル処理部には、複数台のＯＮＵに固定的に割付けられるプロトコル情報に相当する複数のプロトコル処理データが保持されている。メモリ部は、ＯＥ／ＥＯ部から出力されたデータを１０ｂコードのまま記憶する。演算処理部は、メモリ部に記憶されたデータの解析を行う。光アクセス・ネットワーク試験装置は、ＧｂＥ光アクセス・ネットワークを介して試験対象装置に接続される。
【００１９】
プロトコル処理部に複数のプロトコル情報を格納していることによって、複数台のＯＮＵに固定的に割付けられるプロトコル情報を保持していることになるので、ＧｂＥ光アクセス・ネットワークを介して試験対象装置に複数台のＯＮＵを接続しているのと同等の環境を構築できる。従って、簡素な構成でＧｂＥ光アクセス・ネットワークの試験を行うことができる。
【００２０】
また、プロトコル処理部に、規格に違反したプロトコル処理データや、１０ｂコード異常のデータを設定し、それに基づく送信フレームデータをＧｂＥ光アクセス・ネットワークに送信することによって、試験対象装置に対して、豊富な検証パターンを提供することができる。従って、ＩＥＥＥ８０２．３ａｈ規格に準拠したＧｂＥ光アクセス・ネットワークに対して、正常または異常の評価を行うことができる。
【００２１】
さらに、ＩＥＥＥ８０２．３ａｈ規格以外の受信フレームデータに対して、プロトコル処理部における処理を行わずに、イーサネット上位レイヤテストを行うことによって、イーサネットの検証を行うことができる。従って、イーサネット・インタフェース規格に準拠したＧｂＥ光アクセス・ネットワーク５に対して、正常または異常の評価を行うことができる。
【００２２】
また、メモリ部に記憶させた受信フレームデータを解析することによって、ＧｂＥ光アクセス・ネットワーク上で発生するエラーの発見や光回線ノイズの解析が可能となる。また、メモリ部に記憶させた受信フレームデータを外部の表示装置に表示することによって、光回線に流れるフレームデータを確認することができる。
【発明の効果】
【００２３】
本発明にかかる光アクセス・ネットワーク試験装置によれば、多数の試験用設備を用いずに、簡素な構成で光アクセス・ネットワークの試験を行うことができるという効果を奏する。また、ＩＥＥＥ８０２．３ａｈ規格に準拠したＧｂＥ光アクセス・ネットワークに対して、正常または異常の評価を行うことができるという効果を奏する。さらに、イーサネット・インタフェース規格に準拠したＧｂＥ光アクセス・ネットワークに対して、正常または異常の評価を行うことができるという効果を奏する。
【発明を実施するための最良の形態】
【００２４】
以下に添付図面を参照して、この発明にかかる光アクセス・ネットワーク試験装置の好適な実施の形態を詳細に説明する。
【００２５】
図１は、本発明の実施の形態にかかる光アクセス・ネットワーク試験装置の構成を示すブロック図である。図１に示すように、この光アクセス・ネットワーク試験装置１００は、ＯＥ／ＥＯ部１１１、ＩＥＥＥ８０２．３ａｈプロトコル処理部１１２、符号化処理部１１３、イーサネット上位レイヤテスト機能部１１４、キャプチャメモリ１１５、ＣＰＵ部１１６およびそれらを相互に接続する制御バス１１７を備えている。
【００２６】
ＯＥ／ＥＯ部１１１は、双方向の光ファイバーケーブル８を介してＧｂＥ光アクセス・ネットワーク５（図５参照）に接続されている。ＯＥ／ＥＯ部１１１は、ＧｂＥ光アクセス・ネットワークおよび光ファイバーケーブル８を介して送られてきた光信号を受信し、その光信号を電気信号に変換して１０ｂコードのシリアルデータからなる受信フレームデータを生成する。その受信フレームデータは、１０ｂコードのままＩＥＥＥ８０２．３ａｈプロトコル処理部１１２に送られる。また、ＯＥ／ＥＯ部１１１は、ＩＥＥＥ８０２．３ａｈプロトコル処理部１１２から送られてきた１０ｂコードのシリアルデータからなる送信フレームデータを光信号に変換する。その光信号は、光ファイバーケーブル８を介してＧｂＥ光アクセス・ネットワーク５に出力される。
【００２７】
ＩＥＥＥ８０２．３ａｈプロトコル処理部１１２は、プロトコル識別部１１８、プロトコル処理テーブル部１１９およびＩＥＥＥ８０２．３ａｈフレーム生成・送信部１２０を備えており、ＩＥＥＥ８０２．３ａｈプロトコルの処理を１０ｂコードのまま行う。プロトコル識別部１１８は、ＯＥ／ＥＯ部１１１から送られてきた１０ｂコードの受信フレームデータを解析し、その受信フレームデータがＩＥＥＥ８０２．３ａｈプロトコル／ＩＥＥＥ８０２．３フレームであるか否かを識別する。
【００２８】
受信フレームデータがＩＥＥＥ８０２．３ａｈ規格のフレームデータである場合には、プロトコル識別部１１８は、プロトコル処理のための識別コードを生成し、その識別コードを試験コードと組み合わせて、検索キーを生成する。検索キーは、プロトコル処理テーブル部１１９からプロトコル情報を導き出すためのキーである。試験コードは、ＣＰＵ部１１６により設定される。一方、受信フレームデータがＩＥＥＥ８０２．３ａｈ規格のフレームデータでない場合には、プロトコル識別部１１８は、検索キーを生成しない。
【００２９】
また、プロトコル識別部１１８は、受信フレームデータがＩＥＥＥ８０２．３ａｈ規格のフレームデータである場合には、受信フレームデータが符号化処理部１１３へ転送されないようにし、それ以外のフレームデータである場合には、受信フレームデータを１０ｂコードのまま符号化処理部１１３へ転送する。この受信フレームデータの符号化処理部１１３への転送または非転送の制御は、ＣＰＵ部１１６により行われる。
【００３０】
プロトコル処理テーブル部１１９は、ＩＥＥＥ８０２．３ａｈプロトコル／ＩＥＥＥ８０２．３フレームに対応するプロトコル情報／フレームデータの複数のエントリを有し、その中から、プロトコル識別部１１８により生成された検索キーに基づいて適当なエントリを選択する。各エントリは、ＣＰＵ部１１６により書き換え可能になっている。
【００３１】
ＩＥＥＥ８０２．３ａｈフレーム生成・送信部１２０は、プロトコル処理テーブル部１１９から、検索キーに基づいて選択されたエントリのプロトコル情報を受け取り、プリアンブル、ＭＡＣヘッダおよび応答データを用いて、正規のＩＥＥＥ８０２．３ａｈ規格の応答フレームデータに整え、その応答フレームデータをＯＥ／ＥＯ部１１１を介して所定のタイミングで光アクセス・ネットワークに出力する。このときの送信タイミングは、受信電気信号と、ＩＥＥＥ８０２．３ａｈに規定された送信タイミング以内であるか、またはプロトコル処理テーブル部１１９に設定されたタイミング情報のタイミングである。
【００３２】
符号化処理部１１３は、プロトコル識別部１１８を通過した１０ｂコードのシリアルデータを８ｂコードのパラレルデータに符号化し、その８ｂコードのデータをイーサネット上位レイヤテスト機能部１１４に送る。また、符号化処理部１１３は、イーサネット上位レイヤテスト機能部１１４から送られてきた８ｂコードのパラレルデータを１０ｂコードのシリアルデータに復号化してＩＥＥＥ８０２．３ａｈフレーム生成・送信部１２０に送る。ＩＥＥＥ８０２．３ａｈフレーム生成・送信部１２０は、このイーサネット上位レイヤテスト機能部１１４から送られてきたデータを１０ｂコードのままＯＥ／ＥＯ部１１１へ送る。
【００３３】
イーサネット上位レイヤテスト機能部１１４は、ＣＰＵ部１１６により制御され、イーサネットの上位レイヤパケットの試験を行う。イーサネット上位レイヤテスト機能部１１４部は、上位レイヤフレームを生成する機能を備えており、イーサネット上位レイヤパケットを生成し、符号化処理部１１３、ＩＥＥＥ８０２．３ａｈフレーム生成・送信部１２０およびＯＥ／ＥＯ部１１１を介して、光アクセス・ネットワークに送信することができる。
【００３４】
キャプチャメモリ１１５は、光アクセス・ネットワークから受信した受信フレームデータを１０ｂコードのまま保存できるメモリ部１２１と、フィルタ条件の指定によりメモリ部１２１に記憶させるデータを選択するフィルタ部１２２と、その制御機能を有する。フィルタ条件は、ＣＰＵ部１１６により指定される。フィルタ部１２２は、フィルタしない論理も設定可能になっている。
【００３５】
ＣＰＵ部１１６は、光アクセス・ネットワーク試験装置１００の全体を制御するプロセッサである。ＣＰＵ部１１６は、図示しない外部のパーソナルコンピュータ等と通信できる。ＣＰＵ部１１６は、メモリ部１２１にキャプチャされたデータを読み出して解析することができる。あるいは、ＣＰＵ部１１６は、メモリ部１２１にキャプチャされたデータを読み出して、図示しない外部のパーソナルコンピュータ等や表示装置に送り、パーソナルコンピュータ等によってデータの解析を行ってもよいし、表示装置にデータを表示してもよい。
【００３６】
次に、プロトコル処理テーブル部１１９のプロトコル処理テーブルの構成と検索キーとの関係について説明する。図２は、プロトコル処理テーブルの構成の一例と検索キーとの関係を示す説明図である。図３および図４は、それぞれＩＥＥＥ８０２．３ａｈ規格およびＤＩＸ仕様のフレームフォーマットを示す説明図である。図２に示すように、プロトコル識別部１１８により生成される検索キー１３０は、ＩＥＥＥ８０２．３ａｈフレームから生成される識別コード１３１と、ＣＰＵ部１１６により設定される試験コード１３２を含む。
【００３７】
識別コード１３１は、例えばＭＡＣ−ＤＡ１３３、ＴＹＰＥ１３４、ＬＬＩＤ［１５：８］１３５、ＬＬＩＤ［７：０］１３６およびＯｐｃｏｄｅ１３７を含む。識別コード１３１のＭＡＣ−ＤＡ１３３、ＴＹＰＥ１３４、ＬＬＩＤ［１５：８］１３５、ＬＬＩＤ［７：０］１３６およびＯｐｃｏｄｅ１３７は、それぞれ図３に示すＩＥＥＥ８０２．３ａｈフレームフォーマット２００にアサインされるＭＡＣ−ＤＡ２０３、ＴＹＰＥ２０４、ＬＬＩＤ［１５：８］２０１、ＬＬＩＤ［７：０］２０２およびＯｐｃｏｄｅ２０５に相当する。
【００３８】
ＬＬＩＤ［１５：８］２０１およびＬＬＩＤ［７：０］２０２は、それぞれ２バイトのＬＬＩＤの上位８ビットおよび下位８ビットである。なお、ＬＬＩＤはＬｏｃａｌ  Ｌｉｎｋ  ＩＤの略であり、ＯｐｃｏｄｅはＯｐｅｒａｔｉｏｎ  Ｃｏｄｅの略である。
【００３９】
試験コード１３２は、検索する情報が通常のプロトコル情報であるのか、試験のプロトコル情報であるのかを判別するために設けられている。プロトコル処理テーブル１４０には、例えば通常フレーム・エントリ領域１４１、試験フレーム・エントリ領域１（１４２）および試験フレーム・エントリ領域２（１４３）の３つの領域が設けられている。各領域１４１，１４２，１４３のエントリ情報は、ＣＰＵ部１１６により設定される。
【００４０】
通常フレーム・エントリ領域１４１には、ＩＥＥＥ８０２．３ａｈプロトコルに対応する通常のプロトコル情報のエントリ１４４が複数、格納される。試験フレーム・エントリ領域１（１４２）には、ＩＥＥＥ８０２．３ａｈプロトコルに対応する試験のプロトコル情報のエントリ１４５が複数、格納される。試験のプロトコル情報として、規格違反の情報や１０ｂコード異常のデータを格納することによって、試験のバリエーションを増やすことができる。
【００４１】
試験フレーム・エントリ領域２（１４３）には、ＤＩＸ仕様フォーマットに対応したプロトコル情報のエントリ１４６が複数、格納される。これによって、ＩＥＥＥ８０２．３ａｈフレーム生成・送信部１２０は、ＤＩＸ仕様フォーマットに対応する試験フレームを生成することができるので、ＩＥＥＥ８０２．３ａｈ規格以外のデータフレームにも対応できる。なお、ＩＥＥＥ８０２．３ａｈ規格とＤＩＸ仕様とは、識別コード１３１のＴＹＰＥ１３４の値により判別される。識別コード１３１のＴＹＰＥ１３４は、図４に示すＤＩＸ仕様フレームフォーマット３００にアサインされるＴＹＰＥ３０１に相当する。
【００４２】
なお、図３および図４において、ＳＰＤ、ＰＲＥ、ＣＲＣおよびＳＦＤは、それぞれＳｔａｒｔ  ｏｆ  Ｐａｃｋｅｔｓ、Ｐｒｅａｍｂｌｅ、Ｃｙｃｌｉｃ  Ｒｅｄｕｎｄａｎｃｙ  Ｃｈｅｃｋ、Ｓｔａｒｔ  ｏｆ  Ｐａｃｋｅｔ  Ｄｅｌｉｍｉｔｅｒの略である。また、図２、図３および図４において、括弧内の数字はバイト数を表す。
【００４３】
次に、光アクセス・ネットワーク試験装置１００を用いた試験について説明する。図５は、本発明の実施の形態にかかる光アクセス・ネットワーク試験装置を用いた試験システムの一構成例を示すブロック図である。図５に示すように、光アクセス・ネットワーク試験装置１００は、ＧｂＥ光アクセス・ネットワーク５を介して、試験対象であるＯＬＴ１に接続される。ＯＬＴ１には、イーサネットワーク３を介して、イーサネットテスタ（またはサーバ）２が接続される。
【００４４】
図６は、図５に示す試験システムで試験を実施する際のＩＥＥＥ８０２．３ａｈプロトコル処理部１１２におけるフレーム処理の流れの一例を示すフローチャートである。図６に示すように、試験が開始されると、ＯＥ／ＥＯ部１１１によって、ＧｂＥ光アクセス・ネットワーク５を介してＯＬＴ１から送られてきた光信号のフレームデータを受信する。ＯＥ／ＥＯ部１１１は、受信した光信号を電気信号に変換し、１０ｂコードの受信フレームデータとする。その受信フレームデータは、１０ｂコードのまま、プロトコル識別部１１８に送られる。
【００４５】
プロトコル識別部１１８は、ＯＬＴ１からの受信フレームデータをＯＥ／ＥＯ部１１１を介して受け取り（ステップＳ１）、ＩＥＥＥ８０２．３ａｈの規格に則り、受信フレームデータのプロトコルを識別する（ステップＳ２）。そして、受信フレームデータがＩＥＥＥ８０２．３ａｈ規格のフレームデータであるか否かを判断する（ステップＳ３）。
【００４６】
その結果、受信フレームデータがＩＥＥＥ８０２．３ａｈ規格のフレームデータである場合（ステップＳ３：Ｙｅｓ）には、プロトコル識別部１１８は、プロトコル処理のための識別コードを抽出する（ステップＳ４）。そして、ＣＰＵ部１１６により設定された試験コードと識別コードを組み合わせて、検索キーを生成する（ステップＳ５）。生成された検索キーは、プロトコル処理テーブル部１１９に送られる。また、受信フレームデータが符号化処理部１１３へ転送されるのを止める。
【００４７】
プロトコル処理テーブル部１１９は、プロトコル識別部１１８から検索キーを受け取り、プロトコル処理テーブルに対して、その検索キーにより特定されるエントリを検索する（ステップＳ６）。そして、プロトコル処理テーブル部１１９は、検索により選択されたエントリからプロトコル処理データ（プロトコル情報）を導く（ステップＳ７）。その導き出されたプロトコル処理データはＩＥＥＥ８０２．３ａｈフレーム生成・送信部１２０に送られる。
【００４８】
ＩＥＥＥ８０２．３ａｈフレーム生成・送信部１２０は、プロトコル処理テーブル部１１９からプロトコル処理データを受け取り、そのデータを用いて、正規のＩＥＥＥ８０２．３ａｈ規格の応答フレームデータを組み立てる（ステップＳ８）。そして、ＩＥＥＥ８０２．３ａｈフレーム生成・送信部１２０は、その応答フレームによる処理が通常フレーム処理であるか、または試験フレーム処理であるかを判断する（ステップＳ９）。
【００４９】
その結果、試験フレーム処理であれば（ステップＳ９：試験フレーム処理）、ＩＥＥＥ８０２．３ａｈフレーム生成・送信部１２０は、受信電気信号と、プロトコル処理データ内のタイミング情報に基づいて、送信タイミングを計り、ＯＥ／ＥＯ部１１１を介してＧｂＥ光アクセス・ネットワーク５に対して、フレームデータを送信する（ステップＳ１０）。そして、ＩＥＥＥ８０２．３ａｈプロトコル処理部１１２における一連の処理を終了する。
【００５０】
一方、通常フレーム処理であれば（ステップＳ９：通常フレーム処理）、ＩＥＥＥ８０２．３ａｈフレーム生成・送信部１２０は、受信電気信号と、ＩＥＥＥ８０２．３ａｈ規格に規定された送信タイミングに基づいて、その規定タイミング以内にＯＥ／ＥＯ部１１１を介してＧｂＥ光アクセス・ネットワーク５に対して、フレームデータを送信する（ステップＳ１１）。そして、ＩＥＥＥ８０２．３ａｈプロトコル処理部１１２における一連の処理を終了する。
【００５１】
また、ステップＳ３において、受信フレームデータがＩＥＥＥ８０２．３ａｈ規格のフレームデータでない場合（ステップＳ３：Ｎｏ）には、プロトコル識別部１１８は、受信フレームデータを符号化処理部１１３を介してイーサネット上位レイヤテスト機能部１１４へ転送する（ステップＳ１２）。そして、ＩＥＥＥ８０２．３ａｈプロトコル処理部１１２における一連の処理を終了する。
【００５２】
イーサネット上位レイヤテスト機能部１１４は、プロトコル識別部１１８からＩＥＥＥ８０２．３ａｈ規格でないフレームデータを受け取ると、そのフレームデータをＣＰＵ部１１６に送る。ＣＰＵ部１１６は、プロトコル識別部１１８から受け取ったフレームデータを解析し、その解析結果を図示しない外部の表示装置に表示する。
【００５３】
あるいは、プロトコル識別部１１８から受け取ったフレームデータを図示しないハード回路で解析し、その解析結果を図示しない外部の表示装置に表示してもよい。また、プロトコル識別部１１８から受け取ったフレームデータを図示しない外部の表示装置に表示してもよい。
【００５４】
以上説明したように、実施の形態の光アクセス・ネットワーク試験装置１００によれば、プロトコル処理テーブル１４０に複数のＩＥＥＥ８０２．３ａｈプロトコル情報を格納していることによって、複数台のＯＮＵに固定的に割付けられるプロトコル情報を保持していることになるので、ＧｂＥ光アクセス・ネットワーク５を介してＯＬＴ１に複数台のＯＮＵを接続しているのと同等の環境を構築できる。従って、簡素な構成で光アクセス・ネットワークの試験を行うことができるので、試験用設備のコストの低減と、試験のためのスペースの低減を図ることができる。
【００５５】
また、プロトコル処理テーブル１４０に、規格に違反したプロトコル処理データや、１０ｂコード異常のデータを設定し、それに基づく送信フレームデータをＧｂＥ光アクセス・ネットワーク５に送信することによって、ＯＬＴ１に対して、豊富な検証パターンを提供することができる。従って、ＩＥＥＥ８０２．３ａｈ規格に準拠したＧｂＥ光アクセス・ネットワーク５に対して、正常または異常の評価を行うことができる。
【００５６】
さらに、イーサネット上位レイヤテスト機能部１１４が内蔵されていることによって、イーサネットの検証を行うことができる。従って、イーサネット・インタフェース規格に準拠したＧｂＥ光アクセス・ネットワーク５に対して、正常または異常の評価を行うことができる。
【００５７】
また、ＩＥＥＥ８０２．３ａｈプロトコル処理部１１２が１０ｂコードのデータを取り扱い、キャプチャメモリ１１５に１０ｂコードの受信フレームデータを記憶させて分析することによって、ＧｂＥ光アクセス・ネットワーク５上で発生するエラーを発見することができる。また、光回線ノイズの解析が１０ｂコードとして可能となる。
【００５８】
従って、キャプチャメモリ１１５に記憶させた受信フレームデータをＣＰＵ部１１６、外部の表示装置またはハード回路によって解析することによって、光回線ノイズなどに因る１０ｂコードの異常コードを発見することができる。さらに、ＣＰＵ部１１６により、キャプチャメモリ１１５に記憶させた受信フレームデータを読み出し、そのデータを外部の表示装置に表示することによって、光回線に流れるフレームデータを確認することができる。
【００５９】
また、ＣＰＵ部１１６がソフトウェアを実行してプロトコル処理テーブル１４０を書き換えることによって、物理層でのイリーガル・データの生成が可能となるので、検証データの種類が増える。従って、試験フレームの生成と試験のバリエーションを増やすことができる。
【００６０】
また、キャプチャメモリ１１５にフィルタ部１２２が設けられていることによって、特定の受信フレームデータのみをメモリ部１２１にキャプチャして解析対象とすることができるので、問題の早期発見を図ることができる。また、メモリ部１２１の容量を効率よく使用することができる。
【００６１】
以上において本発明は、上述した実施の形態に限らず、種々変更可能である。例えば、光アクセス・ネットワーク試験装置１００は、イーサネット上位レイヤテスト機能部１１４を内蔵していなくてもよい。その場合には、光アクセス・ネットワーク試験装置１００は、イーサネット上位レイヤテスト機能部１１４の代わりに、外部のイーサネットテスタ（またはパーソナルコンピュータ）に接続するためのインタフェースを備えていればよい。そして、試験を行う際には、そのインタフェースにイーサネットテスタ（またはパーソナルコンピュータ）を接続すればよい。
【００６２】
（付記１）光アクセス・ネットワークを介して試験対象装置に接続される光アクセス・ネットワーク試験装置であって、
光アクセス・ネットワークから受信した光信号を電気信号に変換して１０ｂコードのデータを出力するＯＥ／ＥＯ部と、
前記ＯＥ／ＥＯ部から出力されたデータを１０ｂコードのまま用いて光アクセス・ネットワークのプロトコルを処理するプロトコル処理部と、
前記プロトコル処理部を通過した１０ｂコードのデータを８ｂコードのデータに符号化する符号化処理部と、
を備えることを特徴とする光アクセス・ネットワーク試験装置。
【００６３】
（付記２）前記ＯＥ／ＥＯ部から出力されたデータを１０ｂコードのまま記憶するメモリ部と、
前記メモリ部に記憶されたデータを読み出して解析する演算処理部と、
をさらに備えることを特徴とする付記１に記載の光アクセス・ネットワーク試験装置。
【００６４】
（付記３）前記メモリ部に記憶させるデータを選別するフィルタ部をさらに備えることを特徴とする付記２に記載の光アクセス・ネットワーク試験装置。
【００６５】
（付記４）前記プロトコル処理部は、
複数のプロトコル処理データを保持するプロトコル処理テーブル部と、
前記ＯＥ／ＥＯ部から出力されたデータを用いて光アクセス・ネットワークのプロトコルを処理するためのプロトコルを識別し、前記プロトコル処理テーブル部を検索してプロトコル処理データを導き出すための検索キーを生成するプロトコル識別部と、
を有することを特徴とする付記１〜３のいずれか一つに記載の光アクセス・ネットワーク試験装置。
【００６６】
（付記５）前記プロトコル処理テーブル部は、複数のプロトコル処理データを書き換え可能に保持することを特徴とする付記４に記載の光アクセス・ネットワーク試験装置。
【００６７】
（付記６）前記プロトコル処理テーブル部は、保持する複数のプロトコル処理データの中から、前記プロトコル識別部により生成された検索キーに対応するプロトコル処理データを導き出すとともに、プロトコル応答タイミング情報を導き出すことを特徴とする付記４または５に記載の光アクセス・ネットワーク試験装置。
【００６８】
（付記７）前記プロトコル処理部は、
前記プロトコル処理テーブル部により導き出されたプロトコル処理データおよびプロトコル応答タイミング情報に基づいて、プリアンブル、ＭＡＣヘッダおよび応答データを含む応答フレームデータを生成し、該応答フレームデータを前記ＯＥ／ＥＯ部を介して光アクセス・ネットワークへ出力するフレーム生成・送信部をさらに備えることを特徴とする付記６に記載の光アクセス・ネットワーク試験装置。
【００６９】
（付記８）前記プロトコル処理テーブル部は、規格違反の１０ｂコードのデータを生成するための試験データを保持することを特徴とする付記４〜７のいずれか一つに記載の光アクセス・ネットワーク試験装置。
【産業上の利用可能性】
【００７０】
以上のように、本発明にかかる光アクセス・ネットワーク試験装置は、光アクセス・ネットワークの試験に有用であり、特に、ＩＥＥＥ８０２．３ａｈ規格に準拠したＧｂＥ光アクセス・ネットワークの試験に適している。
【図面の簡単な説明】
【００７１】
【図１】本発明の実施の形態にかかる光アクセス・ネットワーク試験装置の構成を示すブロック図である。
【図２】プロトコル処理テーブルの構成の一例と検索キーとの関係を示す説明図である。
【図３】ＩＥＥＥ８０２．３ａｈ規格のフレームフォーマットを示す説明図である。
【図４】ＤＩＸ仕様のフレームフォーマットを示す説明図である。
【図５】本発明の実施の形態にかかる光アクセス・ネットワーク試験装置を用いた試験システムの一構成例を示すブロック図である。
【図６】本発明の実施の形態にかかる光アクセス・ネットワーク試験装置を用いて試験を実施する際のフレーム処理の流れの一例を示すフローチャートである。
【図７】従来の試験システムの構成を示すブロック図である。
【図８】ＯＮＵの機能的な構成を示すブロック図である。
【符号の説明】
【００７２】
１  試験対象装置
５  ＧｂＥ光アクセス・ネットワーク
１００  光アクセス・ネットワーク試験装置
１１１  ＯＥ／ＥＯ部
１１２  ＩＥＥＥ８０２．３ａｈプロトコル処理部
１１３  符号化処理部
１１６  演算処理部（ＣＰＵ部）
１１８  プロトコル識別部
１１９  プロトコル処理テーブル部
１２０  ＩＥＥＥ８０２．３ａｈフレーム生成・送信部
１２１  メモリ部
１２２  フィルタ部
１３０  検索キー
【図１】
2007096847.tif 000003
【図２】
2007096847.tif 000004
【図３】
2007096847.tif 000005
【図４】
2007096847.tif 000006
【図５】
2007096847.tif 000007
【図６】
2007096847.tif 000008
【図７】
2007096847.tif 000009
【図８】
2007096847.tif 000010